(57)【要約】【課題】  装置本体が稼動不能の状態にあっても異常の発生状況や発生履歴等を容易に目視確認することのできる障害表示ユニットを簡便な構造にて提供する。【解決手段】  ヒーター４を加熱して示温材３の色を変化させることで異常の発生状況や発生履歴等を示温材３に記憶させる構成とし、複雑な配線パターンを有する発熱部品や其の制御装置を不要として、異常の発生状況や発生履歴等を容易に目視確認できる障害表示ユニット１を簡便な構造で安価に提供する。【選択図】図１
2007272989.tif 000002
【特許請求の範囲】
【請求項１】
温度上昇を検知して不可逆的に色が変化する示温材を付設したケーシングと、前記示温材に近接して前記ケーシングに設けられたヒーターと、前記ヒーターに電力を供給する電力供給端子とを備えたことを特徴とする障害表示ユニット。
【請求項２】
分離して設けられた複数の示温材と、各示温材毎のヒーターと、前記各ヒーターに電力を供給する各ヒーター毎の電力供給端子を備えたことを特徴とする請求項１記載の障害表示ユニット。
【請求項３】
相異なる色に色が変化する複数の示温材を備えたことを特徴とする請求項２記載の障害表示ユニット。
【請求項４】
温度に応じた色に色が変化する示温材を備えたことを特徴とする請求項１記載の障害表示ユニット。
【請求項５】
温度上昇を検知して不可逆的に色が変化する示温材と、前記示温材に近接して設けられたヒーターと、ディスクドライブ装置に設けられた動作異常検出手段からの異常検出信号に基づいて前記ヒーターに電力を供給する電力供給手段とを備えたことを特徴とする障害表示機能付ディスクドライブ装置。
【請求項６】
分離して設けられた複数の示温材と、各示温材毎のヒーターと、前記動作異常検出手段からの異常検出信号に基づいて異常の種別を判定する動作異常判定手段とを備え、前記電力供給手段は、前記動作異常判定手段の判定結果に応じて前記ヒーターに選択的に電力を供給するように構成されていることを特徴とする請求項５記載の障害表示機能付ディスクドライブ装置。
【請求項７】
相異なる色に色が変化する複数の示温材を備えたことを特徴とする請求項６記載の障害表示機能付ディスクドライブ装置。
【請求項８】
温度に応じた色に色が変化する示温材と、前記動作異常検出手段からの異常検出信号に基づいて異常の種別を判定する動作異常判定手段とを備え、前記電力供給手段は、前記動作異常判定手段の判定結果に応じて前記ヒーターに供給する電力量を調整するように構成されていることを特徴とする請求項５記載の障害表示機能付ディスクドライブ装置。
【発明の詳細な説明】
【技術分野】
【０００１】
本発明は、障害表示ユニットおよび障害表示機能付ディスクドライブ装置に関する。
【背景技術】
【０００２】
マイクロコンピュータを組み込んだ各種の装置では、このマイクロコンピュータを自己診断用の動作異常検出手段や動作異常判定手段として機能させるためのファームウェアを予め装置本体にインストールしておき、マイクロコンピュータによって装置の自己診断を行い、異常の発生状況や発生履歴等をホストコンピュータ等の上位装置に送信して表示させたり内蔵の不揮発性メモリに記憶させたりするようになっているものがある。
【０００３】
しかし、これらの履歴は装置内部の不揮発性メモリにログとして保存されるので、ホストコンピュータ側の表示を一旦解除した後で改めてオペレータやユーザが情報を確認するためには、ホストコンピュータの側から再び装置内部の不揮発性メモリにアクセスしてデータを読み出す必要があり、装置本体とホストコンピュータとの電気的な接続を解除してしまうと、単体の装置本体では異常の発生状況や発生履歴等を確認できなくなる不都合ある。
【０００４】
特に、単一の筐体に複数のディスクドライブ装置（装置本体）を装着して運用されるディスクアレイシステム等の場合では、メンテナンス等のために同形同寸法の装置本体を筐体から纏めて取り外す場合があり、装置本体の再装着に際して異常の発生している装置を人目で判別することが困難であるため、装置の管理に支障を来たし、異常の発生している装置を修理せずに誤って再装着する等の不都合が生じる可能性が高い。
【０００５】
装置本体が機能を停止した状態で当該装置に関連した履歴を確認できるようにしたシステムとしては、ディスクドライブ装置に貼付したシート状の感熱材の色の変化によってデータの記憶エラー等のステータスを記憶させるようにした磁気ディスク記憶装置が特許文献１として提案されているが、複雑な情報を感熱材に記憶させるためには、文字や図形等の生成に適した配線パターンを有する発熱部品を駆動制御し、文字あるいは図形等を使用して感熱材に情報を記憶させる必要があるため、簡単な構造の装置には適用し難い不都合がある。
【０００６】
温度上昇を検知して不可逆的に色が変化する示温材としては、温度変色塗料を塗布したフィルム状のサーモテープ，サーモシール，サーモラベル，サーモシート等のものが周知である。また、加えられる温度に応じて不可逆的に色を変化させ、最大温度を記録する示温材も一般に市販されている。
【０００７】
【特許文献１】特開２００２−１０９８７１号公報（段落００１３）
【特許文献２】実開平６−７４９７３号公報
【発明の開示】
【発明が解決しようとする課題】
【０００８】
本発明の課題は、装置本体が稼動不能の状態にあっても当該装置における異常の発生状況や発生履歴等を容易に目視確認することのできる障害表示ユニットおよび障害表示機能付ディスクドライブ装置を簡便な構造にて提供することにある。
【課題を解決するための手段】
【０００９】
本発明の障害表示ユニットは、前記課題を達成するため、温度上昇を検知して不可逆的に色が変化する示温材を付設したケーシングと、前記示温材に近接して前記ケーシングに設けられたヒーターと、前記ヒーターに電力を供給する電力供給端子とを備えたことを特徴とする構成を有する。
【００１０】
電力供給端子に電圧を印加してヒーターを加熱して示温材の色を変化させるだけの簡単な操作で異常の発生状況や発生履歴等を示温材に記憶させるようにしているので、複雑な配線パターンを有する発熱部品や其の制御装置が不要となり、異常の発生状況や発生履歴等を容易に目視確認することのできる障害表示ユニットを簡便な構造で安価に提供することができる。
【００１１】
比較的複雑な情報を示温材に記憶させるためには、分離して設けられた複数の示温材と、各示温材毎のヒーターと、前記各ヒーターに電力を供給する各ヒーター毎の電力供給端子を備えた構成とする。
【００１２】
この場合、各示温材は色の変化の有無のみによって情報を表現することになるので、各示温材毎に１ビット分の情報の表現が可能である。つまり、分離して設けられた示温材をＮ個配備すればＮビット相当の情報の表示が可能となる。
【００１３】
複数の示温材を配備する場合においては、各示温材は相異なる色に変化するものを選択することが望ましい。
【００１４】
異常の種別、例えば、将来的に致命的な損傷に繋がるか否かといった重要度に対応させて示温材の色を決めておくことにより異常の発生状況や発生履歴等を容易に目視確認することができる。
【００１５】
あるいは、温度に応じた色に色が変化する示温材を備えるようにしてもよい。
【００１６】
温度に応じた色に色が変化する示温材を利用することで、単一の示温材であっても異常の発生状況や発生履歴等を容易に目視確認することができる。
【００１７】
本発明の障害表示機能付ディスクドライブ装置は、温度上昇を検知して不可逆的に色が変化する示温材と、前記示温材に近接して設けられたヒーターと、ディスクドライブ装置に設けられた動作異常検出手段からの異常検出信号に基づいて前記ヒーターに電力を供給する電力供給手段とを備えたことを特徴とする構成を有する。
【００１８】
このような構成を適用した場合、従来と同様、ディスクドライブ装置にインストールされたファームウェアが、ディスクドライブ装置に組み込まれたマイクロコンピュータを自己診断用の動作異常検出手段として機能させる。そして、ディスクドライブ装置に異常が生じると動作異常検出手段が此れを検出して異常検出信号を送出し、従来と同様に、異常の発生状況をホストコンピュータ等の上位装置に送信して表示させ、また、内蔵の不揮発性メモリにも記憶させる。
本発明においては、更に、電力供給手段が異常検出信号を検知した時点で、ヒーターに電力を供給して示温材を加熱し、其の色を不可逆的に変化させるようにしている。
電力供給手段からヒーターに電圧を印加して示温材の色を変化させるだけの簡単な操作で異常の発生状況や発生履歴等を示温材に記憶させるようにしているので、複雑な配線パターンを有する発熱部品や其の制御装置が不要となり、異常の発生状況や発生履歴等を容易に目視確認することのできる障害表示機能付ディスクドライブ装置を簡便な構造で安価に提供することができる。
ディスクドライブ装置にはマイクロコンピュータが組み込まれており、また、電源となる電力も供給されているので、この電源とヒーターとをスイッチング回路を介して接続し、動作異常検出手段がディスクドライブ装置の異常を検出した時点で、ファームウェアによって駆動制御されるマイクロコンピュータからの指令により、ヒーターの加熱に必要とされる所定時間だけスイッチング回路を作動させてヒーターに電力を供給するようにする。
【００１９】
複雑な情報を示温材に記憶させるためには、分離して設けられた複数の示温材と、各示温材毎のヒーターと、動作異常検出手段からの異常検出信号に基づいて異常の種別を判定する動作異常判定手段とを備え、電力供給手段が、動作異常判定手段の判定結果に応じてヒーターに選択的に電力を供給する構成とする。
【００２０】
従来と同様、ディスクドライブ装置にインストールされたファームウェアが、ディスクドライブ装置に組み込まれたマイクロコンピュータを自己診断用の動作異常検出手段および動作異常判定手段として機能させる。そして、ディスクドライブ装置に異常が生じると動作異常検出手段が此れを検出して異常検出信号を送出し、これを受けた動作異常判定手段が異常の種別を判定し、異常の発生状況をホストコンピュータに送信して表示させ、また、内蔵の不揮発性メモリにも記憶させる。
本発明では、特に、動作異常判定手段の判定結果に応じて電力供給手段がヒーターに選択的に電力を供給し、示温材を加熱して其の色を不可逆的に変化させるようにしている。
この場合、各示温材は色の変化の有無のみによって情報を表現することになるので、各示温材毎に１ビット分の情報の表現が可能である。つまり、分離して設けられた示温材をＮ個配備すればＮビット相当の情報の表示が可能となる。
ディスクドライブ装置にはマイクロコンピュータが組み込まれており、また、電源となる電力も供給されているので、この電源とヒーターとを各ヒーター毎のスイッチング回路を介して接続し、動作異常判定手段がディスクドライブ装置の異常の種別を判定した時点で、ファームウェアによって駆動制御されるマイクロコンピュータからの指令により、ヒーターの加熱に必要とされる所定時間だけ、異常の種別に対応したヒーター（１つとは限らない）のスイッチング回路を作動させてヒーターに電力を供給するようにする。
【００２１】
複数の示温材を配備する場合においては、各示温材は相異なる色に変化するものを選択することが望ましい。
【００２２】
異常の種別、例えば、将来的に致命的な損傷に繋がるか否かといった重要度に対応させて示温材の色を決めておくことにより異常の発生状況や発生履歴等を容易に目視確認することができる。
【００２３】
あるいは、温度に応じた色に色が変化する示温材を備え、前記電力供給手段が、動作異常判定手段の判定結果に応じてヒーターに供給する電力量を調整するように構成してもよい。
【００２４】
この場合、ディスクドライブ装置にインストールされたファームウェアが、ディスクドライブ装置に組み込まれたマイクロコンピュータを自己診断用の動作異常検出手段および動作異常判定手段として機能させる。そして、ディスクドライブ装置に異常が生じると動作異常検出手段が此れを検出して異常検出信号を送出し、これを受けた動作異常判定手段が異常の種別を判定し、従来と同様に、異常の発生状況をホストコンピュータに送信して表示させ、また、内蔵の不揮発性メモリにも記憶させる。
同時に、本発明では、電力供給手段が動作異常判定手段の判定結果に応じてヒーターに供給する電力量すなわち熱量を調整し、判定結果に応じた色に示温材の色を不可逆的に変化させる。
ディスクドライブ装置にはマイクロコンピュータが組み込まれており、また、電源となる電力も供給されているので、この電源とヒーターとをスイッチング回路を介して接続し、動作異常判定手段がディスクドライブ装置の異常の種別を判定した時点で、ファームウェアによって駆動制御されるマイクロコンピュータからの指令により、ヒーターの加熱に必要とされる所定時間、つまり、異常の種別に対応した温度にヒーターを加熱するために必要とされる設定時間だけ、スイッチング回路を作動させてヒーターに電力を供給する構成とする。
このように、温度に応じた色に色が変化する示温材を利用することで、単一の示温材であっても異常の発生状況や発生履歴等を容易に目視確認することができる。
【発明の効果】
【００２５】
本発明は、ヒーターを加熱して示温材の色を変化させるだけの簡単な操作でディスクドライブ装置を始めとする各種装置における異常の発生状況や発生履歴等を示温材に記憶させるようにしているので、複雑な配線パターンを有する発熱部品や其の制御装置が不要となり、異常の発生状況や発生履歴等を容易に目視確認することのできる障害表示ユニットや障害表示機能を備えた各種装置を簡便な構造で安価に提供することができる。
【発明を実施するための最良の形態】
【００２６】
次に、図面を参照して本発明を実施するための最良の形態について説明する。図１は本発明を適用した一実施形態の障害表示ユニット１の構成を簡略化して示した図である。
【００２７】
障害表示ユニット１は図１に示される通り、扁平な矩形状に形成された中空のケーシング２と、ケーシング２に付設された示温材３と、示温材３に近接してケーシング２に設けられた電熱線等からなるヒーター４と、ヒーター４に電力を供給する第一，第二の電力供給端子５，６によって構成される。
【００２８】
示温材３としては、温度上昇を検知して色が変化する温度変色塗料を塗布したフィルム状のサーモテープ，サーモシール，サーモラベル，サーモシート等を利用する。
温度変色塗料には、加熱された後で温度が常態に復すると元の色に戻る可逆性のものと、温度が常態に復しても色が元に戻らない非可逆性のもの、更には、一定以上の温度となった際に色が変化して其れ以上に色が変化しないものと、温度に応じて色が変化するものとがあるが、この実施形態では、温度に応じて色が不可逆的に変化するものを利用している。
例えば、温度の上昇に伴って初期色の黒から赤茶，緑，青，濃紺の順に４段階に色を変化させるサーモテープが知られている。色は温度に応じて変化するので、温度が上昇した場合には、初期色の黒から赤茶，緑，青，濃紺の何れかに色が変化するが、温度が低下したからといって、一旦赤茶に変色したテープが初期色の黒に戻ったり、あるいは、一旦緑に変色したテープが其れよりも低温の温度領域に対応した色である赤茶に戻ったりするようなことはない。
【００２９】
図２は分離して設けられた複数の示温材３ａ，３ｂ，３ｃを備えた障害表示ユニット１’を装着した障害表示機能付ディスクドライブ装置７について簡略化して示した図である。障害表示ユニット１’は各示温材３ａ，３ｂ，３ｃ毎のヒーターと、各ヒーターに電力を供給する各ヒーター毎の電力供給端子を備えているが、その構造は、図１に示される示温材３およびヒーター４と第一，第二の電力供給端子５，６を３列に亘って併設したものに過ぎないので、詳細な構造については説明を省略する。
【００３０】
この実施形態では、変色した示温材を明確に識別するために、示温材３ａ，３ｂ，３ｃの組み合わせとして、相異なる色に色が変化するものを選択しているが、ケーシング２’に注意書に相当するシールを貼着したり、または、ケーシング２’の成形工程でケーシング２’其れ自体に浮き彫りや彫刻状のスタンピングを施すことによっても、示温材３ａ，３ｂ，３ｃ個々の変色の有無あるいは変色の有無の組み合わせと異常履歴の関係を明示することができるので、示温材３ａ，３ｂ，３ｃの変色後の色は必ずしも異なるものでなくてもよい。
【００３１】
シールの貼着やスタンピングによって示温材３ａ，３ｂ，３ｃの変色状態および変色状態の組み合わせと異常履歴の関係を明示した例を図３に示す。
図３の例では、示温材３ａのみの色の変化を異常Ａに対応させ、同様に、示温材３ｂ，３ｃのみの色の変化を各々異常Ｂ，異常Ｃに対応させている。更に、示温材３ａ，３ｂだけが同時に変色している状態を異常Ｄに対応させ、示温材３ｂ，３ｃだけが同時に変色している状態を異常Ｅに対応させている。更に、示温材３ａ，３ｂ，３ｃの全てが同時に変色している状態を異常Ｆに対応させるといったこともできるので、３つの示温材３ａ，３ｂ，３ｃを備えた場合では、これらの示温材３ａ，３ｂ，３ｃが全く変色していない異常無しの状態を含めて、全体で２３＝８つまり３ビット相当の情報の表示が可能である。
【００３２】
なお、図１に示した示温材３では温度の上昇に伴って初期色の黒から赤茶，緑，青，濃紺の順に４段階に色が変化するから、この示温材３を図２あるいは図３に示される例のようにして３列に並べるのであれば、理論上、異常無しの状態を含めて全体で５３＝１２５種の情報の表示が可能となる。
しかし、そうした場合、ケーシング２’上の注意書等によって３つの示温材の変色状態および変色状態の組み合わせと異常履歴の関係を明示することは極めて困難であり、別途マニュアル等を配備する必要が生じるので、実際には、図１に示す例のように温度に応じて色が何段階かに不可逆的に変化する１つの示温材３、または、図２あるいは図３に示す例のように温度の上昇を検知して色が二値的に変化する数個の示温材３ａ，３ｂ，３ｃを実装することが望ましい。
【００３３】
図４は障害表示ユニット１や障害表示ユニット１’を装着したディスクドライブ装置７の機能について簡略化して示したブロック図である。
【００３４】
ディスクドライブ装置７は公知の動作異常検出手段８，動作異常判定手段９，障害記録手段１０，障害通報手段１１に加え、この実施形態に固有の電力供給手段１３あるいは電力供給手段１３’を備える。
【００３５】
背景技術の項でも述べた通り、動作異常検出手段８と動作異常判定手段９は、ディスクドライブ装置７に組み込まれた図示しないマイクロコンピュータ（以下、単にＣＰＵという）と其のＲＯＭにインストールされたファームウェアとによって構成される。
動作異常検出手段８はスピンドルモータやヴォイスコイルモータおよび其の周辺回路等を始めとするハードディスクドライブ機構部１２の異常の発生の有無をセンサによって検知したり、データの書き込みや読み出しに関わる異常をパリティチェック等で検出する機能を有する。また、動作異常判定手段９は、ＩＤＥやＳＣＳＩ等のバスおよびインターフェイス等からなる障害通報手段１１を介してホストコンピュータ等の上位装置に異常の発生と其の種別を通知し、上位装置のディスプレイ等に其の内容を表示すると共に、ディスクドライブ装置７に内蔵された不揮発性メモリ等からなる障害記録手段１０に、その内容を記憶させる。
【００３６】
電力供給手段１３は、図１に示される障害表示ユニット１をディスクドライブ装置７に装着する場合にディスクドライブ装置７に実装される単純構造のスイッチング回路であり、ディスクドライブ装置７に組み込まれたＣＰＵからの指令によってオン／オフ制御される。
【００３７】
また、電力供給手段１３’は、図２に示される障害表示ユニット１’をディスクドライブ装置７に装着する場合にディスクドライブ装置７に実装されるスイッチング回路であり、ディスクドライブ装置７に組み込まれたＣＰＵからの指令によって示温材３ａ，３ｂ，３ｃ毎のヒーターを個別にオン／オフ制御する機能を有する。
【００３８】
図１に示される障害表示ユニット１をディスクドライブ装置７に装着する場合は、異常の種別と通電時間との対応関係を予め前述のＲＯＭに記憶させておき、動作異常判定手段９が異常の判定を完了した時点で、ＣＰＵからの指令により電力供給手段１３をオンの状態に切り替えて経過時間の計測を開始し、この経過時間が異常の種別に対応する通電時間に達した時点で電力供給手段１３を再びオフの状態に復帰させる。
この結果、障害表示ユニット１の示温材３を加熱するヒーター４に異常の種別に応じた電力量が供給され、示温材３の色が異常の種別に対応した色に変化することになる。例えば、示温材３が赤茶に変色した場合には異常Ａ，緑に変色した場合には異常Ｂ，青に変色した場合には異常Ｃといった具合である。
無論、通電時間を異常の種別に関わり無く一定とし、印加電圧を変化させることで供給する電力量つまり発熱量を調整することも可能であるが、通電時間で発熱量を制御する方が構造が簡単であり、また、ディスクドライブ装置７のための駆動電力（電圧）を其のまま利用できる点からも好都合である。
【００３９】
一方、図２に示される障害表示ユニット１’をディスクドライブ装置７に装着する場合は、異常の種別と通電するヒーターとの対応関係を予め前述のＲＯＭに記憶させておく。そして、動作異常判定手段９が異常の判定を完了した時点で、ＣＰＵからの指令によって電力供給手段１３’を制御し、異常の種別に対応したヒーターのみをオンの状態に切り替えて経過時間の計測を開始し、この経過時間が示温材の変色に必要とされる設定時間に達した時点で電力供給手段１３’を再びオフの状態に復帰させる。
この結果、障害表示ユニット１’の示温材３ａ，３ｂ，３ｃを加熱するヒーターのうち異常の種別に対応したものだけが通電され、異常の種別に対応した示温材３ａ，３ｂ，３ｃのみが変色することになる。例えば、異常の種別と変色させるべき示温材３ａ，３ｂ，３ｃとの対応関係が図３のようなものであれば、動作異常判定手段９が異常の種別を異常Ａと判定したときに示温材３ａを加熱するヒーターにだけ選択的に電力が供給されて示温材３ａが変色し、動作異常判定手段９が異常の種別を異常Ｄと判定したとすれば、示温材３ａと示温材３ｂを加熱するヒーターの各々に選択的に電力が供給されて示温材３ａと示温材３ｂが変色することになる。
示温材を複数個設けた場合であっても其の変色状態の組み合わせによって全ての異常を表示できるとは限らないので、動作異常判定手段９が異常の種別を細かく分類して判定するような構成にあっては、将来的に致命的な損傷に繋がる可能性が高い異常が発生した場合に限って其の内容を示温材の色の変化によって記憶させるようにする。
【００４０】
異常の種別に関わり無く異常の有無のみを上位装置に報告したり障害記録手段１０に記憶させたりするディスクドライブ装置、つまり、動作異常判定手段９を備えていないディスクドライブ装置に装着される障害表示ユニットの場合は、障害表示ユニットに必要とされる機能も、障害の有無に関わる二値的な表示のみである。この場合、障害表示ユニットに配備される示温材は二値的に色を変化させる１つの示温材のみでよく、また、ディスクドライブ装置に実装される電力供給手段は、ディスクドライブ装置に組み込まれたＣＰＵからの指令によってオン／オフ制御される単純構造のスイッチング回路となる。そして、動作異常検出手段が異常を検知した時点でＣＰＵからの指令によって電力供給手段を設定時間だけオンの状態に切り替え、ヒーターで示温材を加熱して其の色を異常有の状態に変化させる。つまり、この場合の電力供給手段は動作異常検出手段からの異常検出信号に基づいてヒーターに電力を供給する電力供給手段である。
【００４１】
以上に述べた通り、これらの実施形態では、ディスクドライブ装置７に実装した障害表示ユニット１，１’に設けられた示温材を変色させることにより、ディスクドライブ装置７に発生した異常や其の履歴を不可逆的かつ固定的に記憶させるようにしているので、ディスクドライブ装置７が故障により稼動不能となった場合、あるいは、ディスクアレイシステムの筐体からディスクドライブ装置７が取り外される等して上位装置から障害記録手段１０のログを読み出せなくなった場合であっても、障害表示ユニット１，１’の示温材の状態を確認するだけで、異常の発生の有無や其の履歴を容易に把握することができる。
従って、特に、単一の筐体に複数のディスクドライブ装置７を装着して運用されるディスクアレイシステム等の場合において、メンテナンス等のために同形同寸法のディスクドライブ装置７を筐体から纏めて取り外したような場合であっても、ディスクドライブ装置７毎の異常の有無を簡単かつ確実に知ることができ、異常の発生しているディスクドライブ装置７を修理せずに誤って再装着する等の不手際が確実に解消される。
【図面の簡単な説明】
【００４２】
【図１】温度に応じた色に色が変化する示温材を備えた一実施形態の障害表示ユニットの構成を簡略化して示した図である。
【図２】分離して設けられた複数の示温材を備えた一実施形態の障害表示ユニットの構成と此の障害表示ユニットを装着することによって障害表示機能付ディスクドライブ装置として機能するディスクドライブ装置の外観を簡略化して示した図である。
【図３】分離して設けられた複数の示温材の色の変化によって異常の種別を表示する場合の表示形式の一例について示した概念図である。
【図４】障害表示ユニットを装着したディスクドライブ装置（障害表示機能付ディスクドライブ装置）の機能について簡略化して示したブロック図である。
【符号の説明】
【００４３】
１  障害表示ユニット
１’  障害表示ユニット
２  ケーシング
３  示温材
３ａ，３ｂ，３ｃ  示温材
４  ヒーター
５  第一の電力供給
６  第二の電力供給
７  障害表示機能付ディスクドライブ装置（装置本体）
８  動作異常検出手段
９  動作異常判定手段
１０  障害記録手段
１１  障害通報手段
１２  ハードディスクドライブ機構部
１３  電力供給手段
１３’  電力供給手段
【図１】
2007272989.tif 000003
【図２】
2007272989.tif 000004
【図３】
2007272989.tif 000005
【図４】
2007272989.tif 000006